(57)【要約】【課題】被検者が検査等を受け易く、また、検者等による被検者の本人確認等もし易く、これにより眼科における診察効率が著しく向上する眼科用端末装置を提供すること。【解決手段】眼科の分野で使用する眼科装置の検査を受ける被検者が所持する眼科用端末装置である被検者眼科用端末装置１００と、眼科装置を操作する検査者が所持する眼科用端末装置である検者眼科用端末装置２００ａと、を含み、被検者眼科用端末装置と検者眼科用端末装置は、表示部１０１を有し、被検者の識別情報及び当該被検者が受ける予定の前記眼科装置の検査情報を有すると共に、表示部に被検者が受ける予定の眼科装置への案内情報を表示可能な構成となっている眼科用端末装置。【選択図】図１
2019063114.tif 000002
【特許請求の範囲】
【請求項１】
眼科の分野で使用する眼科装置の検査を受ける被検者が所持する眼科用端末装置である被検者眼科用端末装置と、
前記眼科装置を操作する検査者が所持する眼科用端末装置である検者眼科用端末装置と、を含む眼科用端末装置であって、
前記被検者眼科用端末装置と前記検者眼科用端末装置は、表示部を有し、当該被検者の識別情報及び当該被検者が受ける予定の前記眼科装置の検査情報を有すると共に、前記表示部に当該被検者が受ける予定の前記眼科装置への案内情報を表示可能な構成となっていることを特徴とする眼科用端末装置。
【請求項２】
前記被検者眼科用端末装置と前記検者眼科用端末装置が有する前記案内情報には、前記眼科装置が所在する場所情報と複数の前記眼科装置についての優先訪問情報を含み、前記検者が所持する眼科用端末装置は、前記案内情報を変更することができる構成となっていることを特徴とする請求項１に記載の眼科用端末装置。
【請求項３】
前記優先訪問情報は、前記眼科装置に関する混雑状況情報に基づいて生成されることを特徴とする請求項２に記載の眼科用端末装置。
【請求項４】
前記被検者眼科用端末装置と前記検者眼科用端末装置が、前記眼科装置と通信可能であると共に、前記眼科装置を介して他の装置とも通信可能な構成となっていることを特徴とする請求項１乃至請求項３のいずれか１項に記載の眼科用端末装置。
【請求項５】
前記被検者眼科用端末装置が、前記検者眼科用端末装置に対して、当該眼科装置の操作の操作要求情報を送信することができることを特徴とする請求項１乃至請求項４のいずれか１項に記載の眼科用端末装置。
【請求項６】
被検者が受ける予定の前記眼科装置について、当該被検者に検査を回避すべき回避情報が存在するときは、前記被検者眼科用端末装置及び前記検者眼科用端末装置が、検査停止情報を受信する構成となっていることを特徴とする請求項１乃至請求項５のいずれか１項に記載の眼科用端末装置。
【発明の詳細な説明】
【技術分野】
【０００１】
本発明は、患者等の被検者及び眼科装置等を操作する検査者である検者等が使用する眼科用端末装置に関するものである。
【背景技術】
【０００２】
眼科の分野で使用される眼科装置は種類が多く、これら各眼科装置を個別に操作することは煩雑であるため、複数の眼科装置を一つの端末等で操作可能とする提案がなされている（例えば、特許文献１）。
一方、眼科を受診する患者等の被検者は、複数の眼科装置を用いた検査をする必要がある。また、これらの眼科装置は、装置によっては１つの部屋に複数の眼科装置が配置される場合もあるが、一方、暗室や半暗室で行うことが必要となる場合は、すべての眼科装置を同じ部屋に配置せずに、複数の部屋に分けて配置することもある。
したがって、被検者が複数の眼科装置の検査を受けるときは、同じ部屋内の眼科装置を順番に巡る必要や順番に異なる部屋を巡る必要がある。
【先行技術文献】
【特許文献】
【０００３】
【特許文献１】特開２０１７―２９３６９号公報
【発明の概要】
【発明が解決しようとする課題】
【０００４】
しかし、被検者が同じ部屋にある複数の眼科装置について、検査を受ける順番を把握することは難しく、特に、眼科装置が異なる部屋に分かれて配置されているときに、検査を受けるために入室する部屋の順番を把握することは、被検者にとって、より困難であるという問題があった。
また、眼科検査の操作等を担当する検査者等の検者も検査のために来ている被検者が検査対象として正しいか否かにつき確認作業を行う必要があり、この確認に時間や手間等がかかるという問題があった。
【０００５】
そこで、本発明は、被検者が検査等を受け易く、また、検者等による被検者の本人確認等もし易く、これにより眼科における診察効率が著しく向上する眼科用端末装置を提供することを目的とする。
【課題を解決するための手段】
【０００６】
前記目的は本発明によれば、眼科の分野で使用する眼科装置の検査を受ける被検者が所持する眼科用端末装置である被検者眼科用端末装置と、前記眼科装置を操作する検査者が所持する眼科用端末装置である検者眼科用端末装置と、を含む眼科用端末装置であって、
前記被検者眼科用端末装置と前記検者眼科用端末装置は、表示部を有し、当該被検者の識別情報及び当該被検者が受ける予定の前記眼科装置の検査情報を有すると共に、前記表示部に当該被検者が受ける予定の前記眼科装置への案内情報を表示可能な構成となっていることを特徴とする眼科用端末装置により達成される。
【０００７】
前記構成によれば、被検者眼科用端末装置は、当該被検者の識別情報（例えば、ＩＤ）及び当該被検者が受ける予定の眼科装置の検査情報（例えば、先ず、診察室１へ行く等）を備えるので、眼科装置の操作を行う検者等による本人確認等がし易い構成となっている。
また、当該被検者が受ける予定の眼科装置への案内情報を表示部に表示するので、当該被検者は眼科装置の検査等を受け易い構成となっている。
一方、検者眼科用端末装置も当該被検者の識別情報（例えば、ＩＤ）を有するので、検者は、被検者を容易に特定することができる。
また、検者眼科用端末装置も当該被検者が受ける予定の眼科装置への案内情報を表示部に表示するので、検者は、効率良く被検者の検査を行わせることできる。
さらに、これらにより、眼科の分野における診察効率を著しく向上させることができる。
【０００８】
好ましくは、前記被検者眼科用端末装置と前記検者眼科用端末装置が有する前記案内情報には、前記眼科装置が所在する場所情報と複数の前記眼科装置についての優先訪問情報を含み、前記検者が所持する眼科用端末装置は、前記案内情報を変更することができる構成となっていることを特徴とする。
【０００９】
前記構成によれば、被検者眼科用端末装置が有する案内情報には、眼科装置が所在する場所情報（例えば、検査室等）と複数の眼科装置についての優先訪問情報（例えば、訪問順情報等）を含むため、被検者は迷うことなく、また、速やかに、受ける予定の眼科装置が所在する場所に到達することができる。
また、検者眼科用端末装置は、その保有する案内情報を変更することができる構成となっているので、検者は、検査待ちで混雑等している眼科装置等を考慮して、眼科装置の訪問順等を変更し、担当する被検者の検査効率等を向上させることができる。
【００１０】
好ましくは、前記優先訪問情報は、前記眼科装置に関する混雑状況情報に基づいて生成されることを特徴とする。
【００１１】
前記構成によれば、優先訪問情報（例えば、訪問順情報等）は、各検査室等における眼科装置の検査の混雑状況情報を考慮して生成されるため、被検者は、より効率良く検査等を受けることができ、診察効率も向上させることができる。
【００１２】
好ましくは、前記被検者眼科用端末装置と前記検者眼科用端末装置が、前記眼科装置と通信可能であると共に、前記眼科装置を介して他の装置とも通信可能な構成となっていることを特徴とする。
【００１３】
前記構成によれば、被検者及び検者は、それぞれが所持する被検者眼科用端末装置と前記検者眼科用端末装置を用いて検査を受ける眼科装置や管理サーバ等の他の装置と通信することができるので、眼科装置や他の装置と情報を共有することができる。
【００１４】
好ましくは、前記被検者眼科用端末装置が、前記検者眼科用端末装置に対して、当該眼科装置の操作の操作要求情報を送信することができることを特徴とする。
【００１５】
前記構成によれば、被検者は被検者眼科用端末装置を介して当該眼科装置の操作の操作要求情報（例えば、支援希望等）を検者眼科用端末装置に送信することができるので、眼科装置の検査中等に、当該眼科装置の操作等の支援等を迅速に求めることができる。
【００１６】
好ましくは、被検者が受ける予定の前記眼科装置について、当該被検者に検査を回避すべき回避情報が存在するときは、前記被検者眼科用端末装置及び前記検者眼科用端末装置が、検査停止情報を受信する構成となっていることを特徴とする。
【００１７】
前記構成によれば、当該被検者が受ける予定の眼科装置について、当該被検者が検査を回避すべき回避情報（例えば、禁忌等）が存在するときは、被検者眼科用端末装置及び検者眼科用端末装置が、検査停止情報（例えば、検査中止指示情報等）を受信する構成となっているので、当該被検者の安全性が担保されている。
【発明の効果】
【００１８】
本発明には、被検者が検査等を受け易く、また、検者等による被検者の本人確認等もし易く、これにより眼科における診察効率が著しく向上する眼科用端末装置を提供することができるという利点がある。
【図面の簡単な説明】
【００１９】
【図１】本発明の眼科用端末装置（被検者眼科用端末装置）である例えば、被検者用タブレット及び検者眼科用端末装置である例えば、検者用タブレット等を有する眼科システムの主な構成を示す概略図である。
【図２】眼科病院における各眼科装置を備える「他覚測定室（１）」乃至「診察室１〜４」の配置図を示す概略図である。
【図３】図１の被検者用タブレット（検者用タブレット）の主な構成を示す概略ブロック図である。
【図４】図１に示す管理サーバの主な構成を示す概略ブロック図である。
【図５】本実施の形態に係る被検者用タブレットを有する眼科システムの主な動作例等を示す概略フローチャートである。
【図６】本実施の形態に係る被検者用タブレットを有する眼科システムの主な動作例等を示す他の概略フローチャートである。
【図７】本実施の形態に係る被検者用タブレットを有する眼科システムの主な動作例等を示す他の概略フローチャートである。
【図８】検者用タブレットで「訪問順情報」を変更する工程を示す概略プロ−チャートである。
【図９】被検者用タブレットから支援要請をする工程等を示す概略フローチャートである。
【図１０】眼科装置の動作中にエラー等の異常が発生した場合の処理工程を示す概略フローチャートである。
【図１１】当該被検者が当該検査等に関し禁忌等に該当する場合の工程を示す概略フローチャートである。
【図１２】検査用タブレットから他の検者用タブレットに連絡する工程を示す概略フローチャートである。
【発明を実施するための形態】
【００２０】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００２１】
図１は、本発明の眼科用端末装置（被検者眼科用端末装置）である例えば、被検者用タブレット１００及び検者眼科用端末装置である例えば、検者用タブレット２００ａ等を有する眼科システム１の主な構成を示す概略図である。
ここで、被検者用タブレット１００ａは、眼科病院等で眼科装置の検査を受ける被検者が所持する端末である。一方、検査用タブレット２００ａ等は、眼科装置を操作する検査者（以下「検者」という。）が所持する端末である。
【００２２】
本実施の形態では、検者用タブレット２００ａ等は、被検者の検査に付き添って検査等を円滑に進める付き添い担当の検者が所持する端末と、各眼科装置の側に所在する検者が所持する端末とを含む。
具体的には、図では、検者用タブレット２００ａが付き添い担当の検者の端末であり、検者用タブレット２００ｂ乃至２００ｇが、眼科装置の側に所在の検者の端末である。
【００２３】
（眼科病院に配置される眼科装置等）
図１に示すように、眼科システム１は、眼科病院の複数の部屋、例えば、「他覚測定室（１）」、「自覚検査室（２）」、「撮影検査室（３）」、「暗室検査・特殊検査室（４）」、「視野検査室（５）」及び「診察室１〜４」に配置される眼科装置を有している。
【００２４】
具体的には、「他覚測定室（１）」には、眼科装置である例えば、「レフラクトメータ、ケラトメータ１０」、「眼圧計１１」及び「スペキュラーマイクロスコープ１２」が配置されている。
また、「自覚検査室（２）」には、眼科装置である例えば、「視力検査装置１３」、「フォロプター１４」、「検眼システム１５」が配置されている。
また、「撮影検査室（３）」には、眼科装置である例えば、「眼底カメラ１６」及び「ＯＣＴ装置１７」が配置されている。
また、「暗室検査・特殊検査室（４）」には、眼科装置である例えば、「視機能検査装置１８」が配置されている。
また、「視野検査室（５）」には、眼科装置である例えば、「マイクロペリメータ１９」及び「視野計２０」が配置されている。
また、「診察室１〜４」には、眼科装置である例えば、「スリップランプ２１ａ〜２１ｄ」が配置されている。
【００２５】
図２は、眼科病院における各眼科装置を備える「他覚測定室（１）」乃至「診察室１〜４」の配置図を示す概略図である。
図２に示すように、各室には眼科装置が配置されている。本配置図については後述する。
【００２６】
また、図１に示すように、「他覚測定室（１）」等の眼圧計１１等は、通信回線２に通信可能に接続されている。そして、眼科システム１の各種情報を管理等する「管理サーバ４０」（「他の装置」の一例）も通信回線２に通信可能に接続されている。
したがって、「他覚測定室（１）」等の眼圧計１１等は、管理サーバ４０と相互に通信可能に配置されている。
【００２７】
（「被検者用タブレット１００」及び「検者用タブレット２００ａ」等）
被検者用タブレット１００は、図１に示すように、その表面に表示部である例えば、「タブレット側ディスプレイ１０１」を有し、この「タブレット側ディスプレイ１０１」には各種情報が表示される構成となっている。
また、被検者用タブレット１００は、通信機能を有している。具体的には、到達距離の短い無線通信、通信エリアは、数センチからおよそ１メートル程度の極短距離であり「非接触通信」とも呼ばれるＢｌｕｅｔｏｏｔｈ（登録商標）や赤外線通信等の「近距離無線通信」が可能な構成となっている。
【００２８】
また、被検者用タブレット１００は、眼科病院内で利用可能なＬＡＮ（ローカルエリアネットワーク）を無線（ワイヤレス）通信可能な構成ともなっている。
したがって、後述するように、被験者が「被検者用タブレット１００」を例えば、図１の「他覚測定室（１）」に入室し、「眼圧計１１」に近づけることで、「眼圧計１１」との間で通信が可能な構成となっている。
【００２９】
また、「被検者用タブレット１００」は、「位置情報取得装置１０２」を備えている。この「位置情報取得装置１０２」は、病院内で利用可能なＬＡＮのアクセスポイントの位置と被検者用タブレット１００との距離から位置情報を取得するものである。
そして、当該「被検者用タブレット１００」の位置情報を取得し、タブレット側ディスプレイ１０１に表示する。
【００３０】
なお、本発明では、上述の「位置情報取得装置１０２」が、衛星との距離で位置情報を測位するＧＰＳ装置（グローバル・ポジショニング・システム（英語: Ｇｌｏｂａｌ  Ｐｏｓｉｔｉｏｎｉｎｇ  Ｓｙｓｔｅｍ、ＧＰＳ、全地球測位システム）であっても構わない。
【００３１】
また、本発明の「位置情報取得装置１０２」が、高精度位置情報提供技術を用いた装置であっても構わない。これは、ＧＰＳ装置等と異なり、室内でも高精度に位置情報を取得することができる装置であり、具体的には、以下のとおりである。
この「高精度位置情報提供」装置は、指向性の高いビーコン、高精度自律航法（ＰＤＲ：Ｐｅｄｅｓｔｒｉａｎ  Ｄｅａｄ  Ｒｅｃｋｏｎｉｎｇ）及び「高精度マップマッチング（ＰＭＭ：Ｐｅｄｅｓｔｒｉａｎ  Ｍａｐ  Ｍａｔｃｈｉｎｇ）」の３つの技術を組み合わせることで、高精度な位置情報（例えば、位置誤差３ｍ以下）を取得するものである。
ここで、「ビーコン」は、無線局等から発射される電波（または赤外線のような高周波の電磁波）及びこのような電波を発射する設備等を意味する。
【００３２】
具体的には、被検者用タブレット１００を利用して、指向性の高いビーコンからの信号強度と、ビーコンの位置から絶対位置を計測する。そして、この絶対位置をＰＤＲで処理し、ＰＭＭを利用して地図表示することになる。
【００３３】
また、本システム１では、図１に示すように、検者用タブレット２００ａ〜２００ｇを有している。これら検者用タブレット２００ａ〜２００ｇの構成は、上述の被検者用タブレット１００と同様であるが、これら検者用タブレット２００ａ〜２００ｇは、上述のように、被検者の検査に付き添って検査等を円滑に進める付き添い担当の検者が所持する端末、「他覚測定室（１）」等の各部屋に配置されている「眼圧計１１」等の機器を操作する検者や医師等が所持する端末等を含むものである。
【００３４】
（眼科装置である「レフラクトメータ、ケラトメータ１０」等の説明）
次いで、上述の眼科病院に配置される眼科装置である「レフラクトメータ、ケラトメータ１０」等の主な装置について、説明する。
【００３５】
（他覚測定室（１）関連）
・「レフラクトメータ、ケラトメータ１０」（以下「レフラクトメータ等１０」とする。）は、眼球の屈折特性を測定する眼屈折検査装置である。
【００３６】
・「眼圧計１１」は、眼圧を計測する装置である。具体的には、眼圧計１１は、例えば、眼圧測定部を有し、非接触式又は接触式の眼圧計としての機能を備える。
非接触式眼圧計の場合、眼圧測定部は、たとえば、被検眼の前眼部を撮影するための光学系と、この光学系と同軸に設けられたノズルから被検眼の角膜に気流を吹き付ける気流吹付部と、被検眼に固視標を提示する固視光学系とが含まれる。
更に、眼圧測定部は気流が吹き付けられている状態の角膜の変形状態に基づいて被検眼の眼圧値を求めるプロセッサが含まれる。
一方、接触式の眼圧計の場合、眼圧測定部は、たとえば、被検眼の前眼部を観察するための光学系と、被検眼の角膜に一定面積の平面を有する部材を押し付けるための圧平部とが含まれる。
更に、眼圧測定部は、角膜の当該一定面積を圧平するのに必要な圧力を検出して被検眼の眼圧値を求めるプロセッサが含まれる。
【００３７】
・「スペキュラーマイクロスコープ１２」は角膜の特性（角膜厚、細胞分布等）を検査する装置である。
なお、「他覚測定室（１）」に配置される装置は、自動化されているものもある。
【００３８】
（自覚検査室（２）関連）
・「視力検査装置１３」は、提示された視標に対する応答に基づき視力を測定する装置である。この視力検査には時間がかかる傾向がある。
【００３９】
（撮影検査室（３）関連）
・「眼底カメラ１６」は、眼底を写真撮影するためのカメラである。
具体的には、眼底カメラ１６は、眼底撮影部を有し、眼底撮影部は、眼底カメラとしての機能を備える。この眼底撮影部は、例えば、被検眼の眼底に照明光を照射するための照明光学系と、照明光の眼底からの戻り光をイメージセンサ（エリアセンサ）に導く撮影光学系と、被検眼に固視標を提示する固視光学系とが含まれる。
【００４０】
・「ＯＣＴ装置１７」は、光干渉を利用して眼底や前眼部の断面像や３次元データ、解析データを得るため光干渉断層計である。
具体的には、ＯＣＴが例えば、低コヒーレンス光源と分光器が搭載された、いわゆるスペクトラルドメイン（Ｓｐｅｃｔｒａｌ  Ｄｏｍａｉｎ）タイプのＯＣＴを用いた光干渉断層計やスペクトラルドメイン以外のタイプ、たとえば、スウェプトソース（Ｓｗｅｐｔ  Ｓｏｕｒｃｅ）タイプのＯＣＴの手法を用いた光干渉断層計である。
スウェプトソースＯＣＴとは、被写体に照射される光の波長を走査（波長掃引）し、各波長の光の反射光と参照光とを重ね合わせて得られる干渉光を順次に検出して、スペクトル強度分布を取得し、それに対して、フーリエ変換を施すことにより被写体を画像化する手法である。
【００４１】
（暗室検査・特殊検査室（４）関連）
・「視機能検査装置１８」は、視機能検査装置等のみならず、視力測定用の視標（ランドルト環等）を呈示する視標呈示装置を含む。被検眼の視力測定を行うための機能を備える。
【００４２】
（視野検査室（５）関連）
・「マイクロペリメータ１９」や「視野計２０」は、視野障害を検出するための装置である。
【００４３】
（診察室１〜４関連）
・診察室１〜４には、それぞれ、「スリットランプ２１ａ〜２１ｄ」が配置されると共に、医師が在室し、各医師は「検者用タブレット２００ｇ」を有している。
「スリットランプ２１ａ〜２１ｄ」は、細隙灯とも呼ばれ、両方の目で見る検眼用の顕微鏡である。
【００４４】
また、図１管理サーバ４０、被検者用タブレット１００，検者用タブレット２００ａ等、眼圧計１１等は、コンピュータを有し、コンピュータは、図示しないＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を有し、これらは、バス等を介して接続されている。
【００４５】
（被検者用タブレット１００等の主な構成）
図３は、図１の被検者用タブレット１００（検者用タブレット２００ａ等）の主な構成を示す概略ブロック図である。
検者用タブレット２００ａ等の構成は、被検者用タブレット１００の構成と同様であるため、以下、被検者用タブレット１００の構成のみ説明する。
【００４６】
被検者用タブレット１００は、図３に示すように、「タブレット制御部１０３」を有していると共に、上述のように被検者用タブレット１００が、眼科装置である眼圧計１１等と通信するために使用される「タブレット側通信装置１０４」や上述の位置情報取得装置１０２を有している。
【００４７】
また、被検者用タブレット１００は、上述のタブレット側ディスプレイ１０１や、各種情報を入力するキーボード等のタブレット側各種情報入力部１０５、音声を出力するスピーカ１０７そして、各種情報を記憶するタブレット側各種情報記憶部１０６を有している。
そして、タブレット制御部１０３は、タブレット側通信装置１０４等を制御する構成となっている。
【００４８】
（管理サーバ４０の主な構成）
図４は、図１に示す管理サーバ４０の主な構成を示す概略ブロック図である。
図４に示すように、管理サーバ４０は「サーバ制御部４１」、他の機器と通信するための「サーバ側通信装置４２」、各種情報を表示する「サーバ側ディスプレイ４３」、各種情報を入力するキーボード等の「サーバ側各種情報入力部４４」を有する。
【００４９】
また、管理サーバ４０は、図４に示すように、「患者Ｘ情報記憶部４５」、「検者用タブレットＩＤ情報記憶部４６」、「訪問順情報生成処理部４７」、「訪問順情報記憶部４８」、「病院配置図情報記憶部４９」、「待ち時間情報記憶部５０」及び「禁忌等判断処理部５１」等を有するが、これらの構成については後述する。
図４のサーバ制御部４１は、図４に示すサーバ側通信装置４２等と接続され、これらを制御する構成となっている。
【００５０】
（眼科システム１の主な動作例）
図５乃至図７は、本実施の形態に係る被検者用タブレット１００を有する眼科システム１の主な動作例等を示す概略フローチャートである。
本実施の形態では、被検者である患者Ｘが眼科病院を訪れ、初診として受診するが、その際に、付き添い担当の検者が同行し、付き添い担当の検者と共に、各種の眼科装置等を用いて検査を受ける場合を例に以下、説明する。
【００５１】
患者Ｘは眼科病院を訪問し、図２の受付で受け付けする。その際、自己の氏名等の個人情報等を提示する。すると、病院の担当者が患者ＸのＩＤ情報等（「識別情報」の一例）を生成し、「患者が初診である」情報、訪問先が「診察室１」及び患者Ｘに付き添う「付き添い検者情報」である情報を管理サーバ４０の図４の「患者Ｘ情報記憶部４５」に登録する。
【００５２】
次いで、図５のステップ（以下「ＳＴ」とする。）１に進む。
ＳＴ１では、受付担当者が、来院する患者が院内で所持する「被検者用タブレット１００」を有しているので、このタブレット１００に、患者ＸのＩＤ情報、「患者が初診である」情報、訪問先が「診察室１」及び「付き添い検者情報」である情報を「被検者用タブレット１００」に入力し、患者Ｘに貸与する。
【００５３】
次いで、ＳＴ２へ進む。ＳＴ２では、患者Ｘが自己の「被検者用タブレット１００」を起動させ、「ＩＤ情報」を表示させ、確認する。
次いで、ＳＴ３へ進む。ＳＴ３では、管理サーバ４０が、図４の「患者Ｘ情報記憶部４５」と「検者用タブレットＩＤ情報記憶部４６」を参照し、患者Ｘの付き添い検者の「検者用タブレット２００ａ」に、付き添うべき被検者である患者Ｘの被検者ＩＤ情報を送信する。
【００５４】
したがって、この被検者ＩＤ情報を自己の検者用タブレット２００ａで受信した検者は、自己が付き添うべき被検者を特定することができる。
【００５５】
次いで、ＳＴ３へ進む。ＳＴ４では、「検者用タブレット２００ａ」の「タブレット側ディスプレイ１０１」に、付き沿うべき被検者の「被検者用タブレット１００」のＩＤ情報が、当該被検者固有のアイコンと共に表示される。
このとき、検者が、「アイコン」をクリックすると、患者Ｘの前回データ、今回データやその比較等、また、患者Ｘのカルテ等が表示される。
したがって、検者は、付き添うべき被検者の詳細な情報を迅速に取得することができる。
【００５６】
次いで、ＳＴ５へ進む。ＳＴ５では、患者Ｘが自己の「被検者用タブレット１００」を起動させると、「タブレット側ディスプレイ１０１」に、図２の「病院配置図」が表示される。
この病院配置図は、図４に示すように管理サーバ４０の「病院配置図情報記憶部４９」に記憶され、患者Ｘに貸与される前に、受付等で、被検者用タブレット１００が、管理サーバ４０からこの病院配置図を受信する構成となっている。
【００５７】
また、同タブレット１００の「位置情報取得装置１０２」が動作し、当該「被検者用タブレット１００」の位置を測位して、図２に示すように「病院配置図」上に丸印Ｐを表示する。
さらに、「被検者用タブレット１００」のスピーカ１０７から音声で「診察室１に行ってください」という音声が出力される。
【００５８】
したがって、患者Ｘは、最初に「診察室１」に行くことを明確に把握することができると共に、自己の現在の位置（丸印Ｐ）と「診察室１」との位置関係を明確に把握することができるので、患者Ｘは、容易かつ迷わずに「診察室１」に行くことができる。
したがって、この「病院配置図」「丸印Ｐ」「診察室１」へ行くこと等の情報が「当該被検者が受ける予定の眼科装置の検査情報」の一例となっている。
【００５９】
また、本発明は、これに限らず、「病院配置図」上で、「丸印Ｐ」から「診察室１」への道順を矢印等で示す構成としても構わない。
【００６０】
次いで、ＳＴ６へ進む。ＳＴ６では、管理サーバ４０が、「診察室１」の医師の「検者用タブレット２００ｇ」に「患者Ｘ」の訪問情報を送信する。
このため、診察室１の医師は、患者Ｘの診察準備を予め行うことができ、診察効率を向上させることができる。
【００６１】
また、管理サーバ４０は、患者Ｘの「被検者用タブレット１００」の位置情報を取得して、付き添い担当の「検者用タブレット２００ａ」へ送信する。
したがって、付き添い担当の検者は、自己の「検者用タブレット２００ａ」に患者Ｘの位置が表示される。
【００６２】
さらに、管理サーバ４０は、付き添い担当の「検者用タブレット２００ａ」の位置情報取得装置１０２が測位した位置を取得し、患者Ｘの「被検者用タブレット１００」に送信する。
したがって、患者Ｘの「被検者用タブレット１００」に付き添い担当の検者の位置が表意される。
【００６３】
したがって、患者Ｘ（被検者）、検者及び医師が、それぞれ必要な情報を迅速に取得することができるので、診察や検査を効率的に進めることができる。
なお、本実施の形態では説明の便宜上、ＳＴ５、ＳＴ６としたが、これらが同時に実行されても構わない。
【００６４】
次いで、ＳＴ７へ進む。ＳＴ７では、患者Ｘが、「診察室１」に入室し、医師による診察実行。医師は、自己の「検者用タブレット２００ｇ」を介して、「管理サーバ４０」から診察に必要な情報を取得すると共に、診察結果情報を入力、例えば、レフラクトメータ等１０測定、眼圧計１１測定、視力検査装置１３測定、ＯＣＴ装置１７及び眼底カメラ１６測定、視野計２０測定及び診察室１で再診察と入力する。
【００６５】
次いで、ＳＴ８へ進む。ＳＴ８では、診断結果情報は、医師の「検者用タブレット２００ｇ」を「診察室１」の「スリットランプ２１ａ」に近づけることで、この診断結果情報は、「被検者用タブレット１００」から「診察室１」の「スリットランプ２１ａ」へ近距離無線通信で送信される。
また、同情報は、「スリットランプ２１ａ」から「管理サーバ４０」へ送信され、患者ＸのＩＤ情報と関連付けられ「管理サーバ４０」の図４の「患者Ｘ情報記憶部４５」に記憶される。
【００６６】
次いで、ＳＴ９へ進む。ＳＴ９では、図４の「管理サーバ４０」の「訪問順情報生成処理部（プログラム）４７」が動作し、「管理サーバ４０」の「病院配置図情報記憶部４９」の「病院配置図情報」を取得する。
この「病院配置図情報」は、例えば、図２に示すような眼科病院の検査室、診察室及び待合室等の配置状態を示す図である。
【００６７】
また、「訪問順情報生成処理部（プログラム）４７」は、図４の「患者Ｘ情報記憶部４５」の患者Ｘの「診断結果情報」も取得する。
【００６８】
この「診断結果情報」には、例えば、「他覚測定室（１）」で「レフラクトメータ等１０」の検査と「眼圧計１１」の検査、「自覚検査室（２）」の「視力検査装置１３」の検査、「撮像検査室（３）」の「ＯＣＴ装置１７」及び「眼底カメラ１６」の検査、「視野検査室（５）」の「視野計２０」の検査、最後に「診察室１」で診察との情報が含まれている。
【００６９】
そこで、同処理部（プログラム）４７は、例えば、患者Ｘが、これらの検査等を距離的に最短で訪問可能な「訪問順情報」を生成し、患者Ｘの「被検者用タブレット１００」及び患者Ｘの付き添い担当の「検者用タブレット２００ａ」に送信する。
したがって、患者Ｘと付き添い担当の検者は、患者Ｘの効率的な「訪問順情報」を共有することができる。
ところで、本発明は、距離的に最短で訪問可能な「訪問順情報」に限らず、各検査室の混雑状況を鑑みて、混雑を回避し、時間的に最短の訪問順情報を生成し、患者Ｘの「被検者用タブレット１００」及び患者Ｘの付き添い担当の「検者用タブレット２００ａ」に送信する構成としても構わない。
【００７０】
例えば、現在、他の被検者が白内障のため、図１の「他覚測定室（１）」の「レフラクトメータ、ケラトメータ１０」の測定が困難で測定に時間が掛かっており、同装置のエラーが頻発し、「混雑」している場合は、「訪問順情報」を変更し、例えば、距離的に近い「他覚測定室（１）」の「レフラクトメータ等１０」と「眼圧計１１」の検査の順番を、他の検査の後に変更し、繰り下げることができる。
【００７１】
また、現在、「撮像検査室（３）」の「眼底カメラ１６」のキセノンランプが発光しないエラーが発生し、例えば、２台の「眼底カメラ１６」のうち、１台が使用不可となり、「混雑」している場合は、「訪問順情報」を変更し、例えば、「撮像検査室（３）」の「ＯＣＴ装置１７」及び「眼底カメラ１６」の検査の順番を最後に変更することもできる。
【００７２】
このように、訪問順情報等は、「他覚測定室（１）」等の各検査室等における「レフラクトメータ、ケラトメータ１０」等の眼科装置の検査の混雑状況情報を考慮して生成されるため、患者Ｘ等の被検者は、より効率良く検査等を受けることができ、病院としても診察効率を著しく向上させることができる。
【００７３】
これらの「混雑」状況が、「混雑状況情報」の一例となっている。
また、この「他覚測定室（１）」等が「眼科装置が所在する場所情報」の一例で、「訪問順情報」が「優先訪問情報」の一例である。
【００７４】
なお、付き添い担当の検者の「検者用タブレット２００ａ」に「訪問順情報」を送信するときは、管理サーバ４０が記憶している各室の待ち時間情報記憶部の各室の待ち時間情報を取得して、送信する。
【００７５】
次いで、ＳＴ１０へ進む。ＳＴ１０では、患者Ｘの「被検者用タブレット１００」の「タブレット側ディスプレイ１０１」に、「被検者用タブレット１００」の現在位置（図２の丸印Ｐが、「診察室１」に表示されている）と「他覚測定室（１）」等との位置関係及び道順を矢印等で表示する。
また、併せて、付き添い担当の検者の「検者用タブレット２００ａ」の位置も表示される。
【００７６】
一方、付き添い担当の検者の「検者用タブレット２００ａ」の「タブレット側ディスプレイ１０１」には、「被検者（患者Ｘ）の現在位置（アイコンで表示）」と各室との位置関係及び道順が矢印等で示され、併せて、各検査室の「待ち時間情報」が表示される。
この各検査室の「待ち時間情報」に基づき、検者が「検者用タブレット２００ａ」で「「訪問順情報」を変更できるが、この工程については、後述する。
【００７７】
なお、患者Ｘや検者が要求することで、音声で道順や直近の目標検査室等の情報を出力させることもできる。
この現在位置と「他覚測定室（１）」等との位置関係及び道順の矢印等」が「眼科装置への案内情報」の一例である。
【００７８】
したがって、このタブレット側ディスプレイ１０１に表示された情報により、患者Ｘ及び付き添い担当の検者は迷うことなく、かつ最も効率的に検査等を受けることができる。
【００７９】
次いで、ＳＴ１１へ進む。ＳＴ１１では、患者Ｘ及び付き添い担当の検者は、自己の「被検者用タブレット１００」等の「タブレット側ディスプレイ１０１」の表示に従い、先ず、「他覚測定室（１）」に行き、入室する。
【００８０】
そして、「レフラクトメータ等１０」に、自己の「被検者用タブレット１００」を近づけて、両者間で近距離無線通信を開始する。すると、この「レフラクトメータ等１０」を介して、「被検者用タブレット１００」のＩＤ情報等が、管理サーバ４０に送信される。
管理サーバ４０は、「管理サーバ４０」の図４の「患者Ｘ情報記憶部４５」のＩＤ情報を参照し、患者ＸのＩＤ情報を確認し、同一性を確認する。
なお、患者Ｘが目的の場所に到達していないことが判明した場合は、情報をわかりやすく変更して「被検者用タブレット１００」の「タブレット側ディスプレイ１０１」に表示させたり、スタッフに声をかけるように「タブレット側ディスプレイ１０１」に表示させたりする構成ともなっている。
また、自動的に監視装置（図示せず）から、あるいは気づいた検者から「被検者用タブレット１００」に呼び出しを行う構成としてもよい。
【００８１】
そして、その結果を「レフラクトメータ等１０」へ送信する。
この確認結果を当該「レフラクトメータ等１０」の操作者の「検者用タブレット２００ｂ」（図１）が近距離無線通信で受信することで、本人確認をすることができる。
また、このとき、検査順の確認も行うので、患者Ｘが訪問順（検査順）を間違えた場合、その事実を迅速に患者Ｘや「被検者用タブレット１００」の操作者の「検者用タブレット２００ａ」に知らせることができる。
この確認は、付き添い担当の検者の「検者用タブレット２００ａ」で実行してもよい。
【００８２】
このように、本実施の形態では、患者Ｘが自己の「被検者用タブレット１００」を眼科装置である「レフラクトメータ等１０」に近づけるだけで、本人確認ができる。したがって、従来に比べ、本人確認の時間を著しく短くすることができ、検査効率を向上させることができる。
【００８３】
ＳＴ１１で、本人確認ができたときは、ＳＴ１２へ進む。ＳＴ８では、例えば、「被検眼画像」を患者Ｘがクリック等することで、「レフラクトメータ等１０」で検査を実行し、「レフラクトメータ等１０」が、検査結果を「管理サーバ４０」へ送信し、管理サーバ４０は、図４の「患者Ｘ情報記憶部４５」に記憶する。
【００８４】
次いで、ＳＴ１３へ進む。ＳＴ１３では、同じ「他覚測定室（１）」の「眼圧計１１」と自己の「被検者用タブレット１００」との間で、近距離無線通信で通信を開始する。
そして、ＳＴ１１の「レフラクトメータ等１０」と同様に、「眼圧計１１」を介して、「管理サーバ４０」の「患者Ｘ情報記憶部４５」のＩＤ情報を参照し、患者ＸのＩＤ情報を確認し、同一性を確認する。
【００８５】
次いで、ＳＴ１４へ進む。ＳＴ１４では、「眼圧計１１」で検査を実行し、ＳＴ１２と同様に、検査結果を「管理サーバ４０」が図４の「患者Ｘ情報記憶部４５」に記憶する。
このときの検査は例えば、次の手順で進められる。
【００８６】
先ず、「患者Ｘは顎を顎受けに載せ、額当てに額を付ける」、次いで、「患者Ｘは、固視目標を見る」、次いで、「眼圧計１１が患者Ｘの「被検眼」に対してアライメントを行う」、そして、「眼圧計１１が被検眼に対して測定を行い」終了する。
【００８７】
次いで、ＳＴ１５へ進む。ＳＴ１５では、患者Ｘは、「他覚測定室（１）」を退出し、自己の「被検者用タブレット１００」の「タブレット側ディスプレイ１０１」の表示に従い、「自覚検査室（２）」に行き、入室する。
【００８８】
そして、患者Ｘは、ＳＴ１３と同様に、「視力検査装置１３」と自己の「被検者用タブレット１００」との間で近距離無線通信の通信を開始する。
そして、「視力検査装置１３」を介して、「管理サーバ４０」と通信し、「患者Ｘ情報記憶部４５」のＩＤ情報を参照し、患者ＸのＩＤ情報を確認し、同一性を確認する。
【００８９】
次いで、ＳＴ１６へ進む。ＳＴ１６では、「視力検査装置１３」で検査を実行し、ＳＴ１４と同様に、検査結果を「管理サーバ４０」へ送信し、「患者Ｘ情報記憶部４５」に記憶する。
【００９０】
次いで、ＳＴ１７へ進む。ＳＴ１７では、患者Ｘは、「自覚検査室（２）」を退出し、自己の「被検者用タブレット１００」の「タブレット側ディスプレイ１０１」の表示に従い、「撮像検査室（３）」へ行き、入室する。
そして、患者Ｘは、ＳＴ１５と同様に、「ＯＣＴ装置１７」及び「眼底カメラ１６」と自己の「被検者用タブレット１００」との間で近距離無線通信の通信を開始する。
そして、この「ＯＣＴ装置１７」と「眼底カメラ１６」を介して、「管理サーバ４０」の「患者Ｘ情報記憶部４５」のＩＤ情報を参照し、患者ＸのＩＤ情報を確認し、同一性を確認する。
【００９１】
次いで、ＳＴ１８へ進む。ＳＴ１８では、「ＯＣＴ装置１７」及び「眼底カメラ１６」で検査を実行し、ＳＴ１６と同様に、検査結果を「管理サーバ４０」へ送信し、「患者Ｘ情報記憶部４５」に記憶する。
【００９２】
次いで、ＳＴ１９へ進む。ＳＴ１９では、患者Ｘは、「撮像検査室（３）」を退出し、自己の「被検者用タブレット１００」の「タブレット側ディスプレイ１０１」の表示に従い、「視野検査室（５）」に行き、入室する。
そして、患者Ｘは、ＳＴ１７と同様に、「視野計２０」と自己の「被検者用タブレット１００」との間で近距離無線通信の通信を開始する。
そして、この「視野計２０」を介して、「管理サーバ４０」の「患者Ｘ情報記憶部４５」のＩＤ情報を参照し、患者ＸのＩＤ情報を確認し、同一性を確認する。
【００９３】
次いで、ＳＴ２０へ進む。ＳＴ２０では、「視野計２０」で検査を実行し、ＳＴ１４と同様に、検査結果を「管理サーバ４０」の「患者Ｘ情報記憶部４５」に記憶する。
【００９４】
以上で、眼科装置による検査が終了する。そこで、ＳＴ２１では、患者Ｘは、「視野検査室（５）」を退出し、自己の「被検者用タブレット１００」の「タブレット側ディスプレイ１０１」の表示に従い「診察室１」に行き、医師の診察を受けるため入室する。
【００９５】
そして、患者Ｘ又は医師は、「スリットランプ２１ａ」と患者Ｘの「被検者用タブレット１００」との間で近距離無線通信の通信を開始し、この「スリットランプ２１ａ」を介して、「管理サーバ４０」の「患者Ｘ情報記憶部４５」のＩＤ情報を参照し、患者ＸのＩＤ情報を確認し、同一性を確認する。
【００９６】
次いで、ＳＴ２２へ進む。ＳＴ１８では、「診察室１」で医師が診察し、その診察結果を医師が所持する「検者用タブレット２００ｇ」又は患者Ｘ又は付き添い担当の検者が所持する「被検者用タブレット１００」を介して、「管理サーバ４０」へ送信し、管理サーバ４０の「患者Ｘ情報記憶部４５」に記憶する。
【００９７】
このように本実施の形態によれば、各検査及び診察において、患者Ｘの本人確認が迅速且つ正確に実施される。
また、複数の検査室（「他覚測定室（１）」等）や診察室等を巡る患者Ｘに対して、その巡る訪問順を視覚的に示し、聴覚的に報知するので、患者Ｘは迷うことなく迅速に移動することができる。また、付き添い担当の検者も支援する。
したがって、眼科病院における診察効率を著しく向上させることができる。
【００９８】
（検者用タブレット２００ａで「訪問順情報」を変更する場合）
上述のＳＴ１０で、自己の「検者用タブレット２００ａ」に表示された各検査室の「待ち時間情報」を視認した付き添い担当の検者は、管理サーバ４０が選択した「訪問順情報」では、訪問効率が悪いと判断したとき、その「訪問順情報」をより効率的な順番に変更することができる。
図８は、検者用タブレット２００ａで「訪問順情報」を変更する工程を示す概略プロ−チャートである。
【００９９】
以下、図８のフローチャートに沿って説明する。
先ず、図８のＳＴ３１では、検者が、「タブレット側ディスプレイ１０１」に表示された「被検者の現在位置（アイコンで表示）」、「各室との位置関係」「各室への訪問順」「各室への道順の矢印等」及び「各室の「待ち時間情報」」のうち、「アイコン」を「ドラッグ＆ドロップ」で変更する。
これにより、容易に「訪問順」は変更でき、図４の「訪問順情報記憶部４８」に変更記憶する。
次いで、ＳＴ３２へ進む。ＳＴ３２で、患者Ｘの「被検者用タブレット１００」へ変更後の「訪問順情報」を記憶させる。
【０１００】
本実施の形態では、「検者用タブレット２００ａ」で、その保有する訪問順情報を変更することができる構成となっているので、検者は、検査待ちで混雑等している眼科装置等を考慮して、眼科装置の訪問順等を変更し、担当する被検者（患者Ｘ）の検査の効率等を向上させることができる。
【０１０１】
（被検者用タブレットから支援要請をする場合）
図９は、被検者用タブレットから支援要請をする工程等を示す概略フローチャートである。
図１に示す「視野計２０」は、検査に時間がかかるため、視野計２０の操作をする検査者は、検査中に離れることが多い。
このとき、被検者の患者Ｘが、疲労し、或いは、わからなくなり、再度、検者に説明を求めることがある。
このようなときに、患者Ｘが自己の「被検者用タブレット１００」から図１の検者の「検者用タブレット２００ｅ」に支援を請求する工程を図９のフローチャートを用いて以下、説明する。
【０１０２】
図９は、被検者用タブレットから支援要請をする工程等を示す概略フローチャートである。
先ず、図９のＳＴ４１で、患者Ｘが「視野計１１」で検査中に、「被検者用タブレット１００」から「支援希望」情報を出力する。そして、この情報は、近距離無線通信で「視野計１１」へ送信される。
【０１０３】
次いで、ＳＴ４２へ進む。ＳＴ４２では、ＳＴ４１の「支援希望情報」が「視野計１１」から「管理サーバ４０」へ送信される。
この「支援希望情報」が、「眼科装置の操作の操作要求情報」の一例となっている。
次いで、ＳＴ４３へ進む。ＳＴ４３では、「管理サーバ４０」は「視野計１１」を担当している検者の図２「検者用タブレット２００ｆ」又は付き添い担当の検者の「検者用タブレット２００ａ」、若しくは対応可能な検者に再説明の指示を送信する。
【０１０４】
このような「再説明」に指示を自己の「検者用タブレット２００ｅ」に受信した視野計１１の担当の検者や付き添い担当の検者等は、迅速に患者Ｘの元に駆けつけることができる。
したがって、患者Ｘが視野計１１の検査に問題があったときは、迅速に問題を解決することができる。
【０１０５】
（眼科装置にエラー等が発生した場合）
図１０は、眼科装置の動作中にエラー等の異常が発生した場合の処理工程を示す概略フローチャートである。
本実施の形態では、例えば、患者Ｘが視野計２０の検査中に、「視野計２０」の動作に異常が発生した例で以下、説明する。
【０１０６】
ＳＴ５１で、患者Ｘが「視野計２０」で検査中に、「視野計２０」の動作異常等が発生すると、「視野計２０」が動作を停止する。
次いで、ＳＴ５２で、「視野計２０」は「管理サーバ４０」へ「動作異常」情報を送信する。
【０１０７】
次いで、ＳＴ５３で、「管理サーバ４０」は「視野計２０」の検査を担当する検者の「検者用タブレット２００ｆ」又は付き添い担当の検者の「検者用タブレット２００ａ」に「マニュアル操作」の指示を送信する。
したがって、「マニュアル操作」を受信した「視野計２０」の担当の検者又は付き添い担当の検者は、直ちに、「視野計２０」の元に駆けつけ、視野計２０を自動からマニュアル操作にすることで、患者Ｘの検査を続行させることができる。
【０１０８】
なお、本実施の形態では、エラー等の動作異常として、「視野計２０」の動作異常を例に説明したが、本発明はこれに限らず、例えば、他の被検者が白内障のため、図１の「他覚測定室（１）」の「レフラクトメータ、ケラトメータ１０」の測定が困難で測定に時間が掛かっており、同装置のエラーが発生し、動作異常となる場合も含まれる。
また、例えば、「撮像検査室（３）」の「眼底カメラ１６」のキセノンランプが発光しないエラーが発生し、動作異常となる場合も含まれる。
【０１０９】
（検査等の禁忌等に該当する場合）
図１１は、当該被検者が当該検査等に関し禁忌等に該当する場合の工程を示す概略フローチャートである。
本実施の形態では、患者Ｘが、光干渉断層計（ＯＣＴ装置１７）の検査を受ける予定で、ＯＣＴ装置１７の検査を始める際に、患者Ｘが、同検査の禁忌に該当することが判明した例で以下、説明する。
【０１１０】
先ず、患者Ｘが、ＯＣＴ装置１７の検査を受けるために、「被検者用タブレット１００」をＯＣＴ装置１７に近づけ、通信を開始する。
すると、ＯＣＴ装置１７が管理サーバ４０と通信し、管理サーバ４０は、患者ＸがＯＣＴ検査をすることを把握する。
【０１１１】
図１１のＳＴ６１では、管理サーバ４０の図４の「禁忌等判断処理部（プログラム）５１」が動作し、図４の「患者Ｘ情報記憶部４５」のカルテ等を参照し、患者Ｘが「禁忌等」に該当するか否かを判断する。
【０１１２】
そして、ＳＴ６２で、禁忌等に該当すると判断されたときは、ＳＴ６３へ進む。ＳＴ６３では、「管理サーバ４０」からＯＣＴ装置１７を介して、患者Ｘの「被検者用タブレット１００」、付き添い担当の検者の「検者用タブレット２００ａ」及びＯＣＴ装置１７の「検者用タブレット２００ｃ」に「検査中止指示情報」を送信する。また、ＯＣＴ装置１７に動作中止を指示する。
さらに、ＯＣＴ装置１７の「検者用タブレット２００ｃ」及び／又は付き添い担当の検者の「検者用タブレット２００ａ」には、検査の「訪問順」の変更等を指示する。
したがって、「検査中止指示情報」等が「検査停止情報」の一例となっている。
【０１１３】
このように、本実施の形態では、患者Ｘが、当該検査の禁忌等に該当するときは、未然に検査を回避でき、患者Ｘ等の被検者の安全性を確保できる構成となっている。
【０１１４】
（検査用タブレットから他の検者用タブレットに連絡する場合）
付き添い担当の検者と患者Ｘが「撮像検査室（３）」に入室し、「眼底カメラ１６」の検査のために造影剤を静脈注射したところ、その注射中に、患者Ｘが嘔吐した例で以下、説明する。
【０１１５】
図１２は、検査用タブレット２００ａから他の検者用タブレットに連絡する工程を示す概略フローチャートである。
先ず、図１２のＳＴ７１で、付き添い担当の検者の「検者用タブレット２００ａ」の「タブレット側ディスプレイ１０１」に「緊急医のアイコン」を表示させる。
次いで、ＳＴ７２へ進む。ＳＴ７２では、検者が「緊急医のアイコン」をダブルクリックして、緊急医の「検者用タブレット」に連絡する。
【０１１６】
このように、本実施の形態では、付き添い担当の検者では手に負えない事態が発生しても迅速に対応することができる。
【０１１７】
（再診の例）
上述のように、本実施の形態では、患者Ｘが眼科病院に「初診」で受け付けた例で、説明したが、「再診」の場合、初診とは主に以下の点で相違する。
再診の場合は、既に検査項目が決まっているので、その情報に基づき、「管理サーバ４０」の「訪問順情報生成処理部（プログラム）４６」が動作する。
すなわち、「管理サーバ４０」の「病院配置図情報記憶部４７」の「病院配置図情報」と、「患者Ｘ情報記憶部４５」の患者Ｘの「診断結果情報」を取得し、例えば、最短の「訪問順情報」（又は、混雑回避の訪問順情報）を生成し、患者Ｘの「被検者用タブレット１００」に送信する。
【０１１８】
なお、本発明は上述の実施の形態に限らない。
本実施の形態では、眼科病院の検査室等を例に説明したが、本発明は、これに限らず、他の施設、例えば、さまざまな手続きを行う窓口の会計、入院事務、院内調剤等にも適用される。
【符号の説明】
【０１１９】
１・・・眼科システム、２・・・通信回線、１０・・・レフラクトメータ、ケラトメータ、１１・・・眼圧計、１２・・・スペキュラーマイクロスコープ、１３・・・視力検査装置、１４・・・フォロプター、１５・・・検眼システム、１６・・・眼底カメラ、１７・・・ＯＣＴ装置、１８・・・自覚検眼装置、１９・・・マイクロペリメータ、２０・・・視野計、２１ａ〜２１ｄ・・・スリップランプ、４０・・・管理サーバ、４１・・・サーバ制御部、４２・・・サーバ側通信装置、４３・・・サーバ側ディスプレイ、４４・・・サーバ側各種情報入力部、４５・・・患者Ｘ情報記憶部、４６・・・検者用タブレットＩＤ情報記憶部、４７・・・訪問順情報生成処理部、４８・・・訪問順情報記憶部、４９・・・病院配置図情報記憶部、５０・・・待ち時間情報記憶部、５１・・・禁忌等判断処理部、１００・・・被検者用タブレット、１０１・・・タブレット側ディスプレイ、１０２・・・位置情報取得装置、１０３・・・タブレット制御部、１０４・・・タブレット側通信装置、１０５・・・タブレット側各種情報入力部、１０６・・・タブレット側各種情報記憶部、１０７・・・スピーカ、２００ａ〜２００ｇ・・・検者用タブレット
【図１】
2019063114.tif 000003
【図２】
2019063114.tif 000004
【図３】
2019063114.tif 000005
【図４】
2019063114.tif 000006
【図５】
2019063114.tif 000007
【図６】
2019063114.tif 000008
【図７】
2019063114.tif 000009
【図８】
2019063114.tif 000010
【図９】
2019063114.tif 000011
【図１０】
2019063114.tif 000012
【図１１】
2019063114.tif 000013
【図１２】
2019063114.tif 000014